(57)【特許請求の範囲】
【請求項１】
被測定者の要部に装着して阻血するカフと、カフ内の圧力を上昇させる加圧手段と、カフ内の圧力を徐々に降下させる排気手段と、カフ内の圧力を電気信号に変換する圧力センサと、圧力センサの出力信号をサンプリングしてデジタル値に変換するＡ／Ｄ変換手段と、Ａ／Ｄ変換手段の出力データから動脈脈波値及びカフ圧値を抽出する圧力情報分離手段と、圧力情報分離手段により抽出された動脈脈波値及びカフ圧値を格納する記憶手段と、記憶手段に格納された圧力値を適宜読み出して比較演算することにより、最高血圧値及び最低血圧値を判定する血圧判定手段と、その判定された最高血圧値及び最低血圧値を表示する表示手段と、加圧中におけるＡ／Ｄ変換手段の複数個の出力データとこれらのデータを加算して得られる値を下記の計算式により加算することで動脈脈波に対応する代替値を演算し、この代替値の変化に基づいて最高血圧を推定するとともに推定した最高血圧に応じてカフ内の圧力上昇時の加圧値を設定する加圧値設定手段とを備えたことを特徴とする血圧計。
【数１】
0003733837.tif 000005
【請求項２】
加圧値設定手段は、加圧初期段階における脈拍数に応じて上記式における各項の係数を変更することを特徴とする請求項１記載の血圧計。
【請求項３】
加圧手段による加圧速度を低下させた状態で血圧判定手段により最高血圧値及び最低血圧値を決定することを特徴とする請求項１記載の血圧計。
【請求項４】
加圧値設定手段は、代替値が負から正に変わるゼロクロス点より正から負に変わるゼロクロス点までの間の区間における代替値の変化に基づいて最高血圧を推定することを特徴とする請求項１記載の血圧計。
【請求項５】
加圧値設定手段は、代替値の比率によって変化を捉えることを特徴とする請求項１記載の血圧計。
【請求項６】
加圧値設定手段は、カフ圧値が所定の閾値を越えた後の動脈脈波値のデータから代替値の演算を行うことを特徴とする請求項１記載の血圧計。
【請求項７】
前記閾値を１００ｍｍＨｇとしたことを特徴とする請求項６記載の血圧計。
【請求項８】
加圧値設定手段は、代替値の値が所定値以上の場合に最高血圧を推定することを特徴とする請求項１記載の血圧計。
【請求項９】
加圧値設定手段は、減圧時における最高血圧の判定ができない場合に加圧手段によって再度カフ圧を上昇させることを特徴とする請求項１記載の血圧計。
【発明の詳細な説明】
【０００１】
【発明の属する技術分野】
本発明は、血圧計に関するものである。
【０００２】
【従来の技術】
従来より、カフ圧に重畳される心拍毎の動脈脈波成分を抽出し、動脈脈波成分の変化に基づいて、最高血圧値及び最低血圧値を示す時点を判定するオシロメトリック法を採用した血圧計が知られている。図１７は従来の血圧計を示すブロック図であり、人体の要部に装着するカフ１に加圧ポンプ３、急速排気部４、徐徐排気部５をそれぞれ接続して、カフ圧力を制御演算部７で制御する。そのカフ圧力を圧力センサ２で電圧に変換し、Ａ／Ｄ変換部６によってデジタル信号に変換して制御演算部７に入力する。そして、制御演算部７にてデジタル信号に変換された圧力値（圧力データ）から被測定者の最高血圧値並びに最低血圧値等を決定し、表示器８に表示したり、ブザー等の報知手段９を鳴動させる。なお、１０は制御演算部７に対して血圧測定開始のトリガ信号等を入力するための操作入力器、１１は各部に電源を供給する電源部である。
【０００３】
図１８は制御演算部７の具体構成を示すブロック図である。Ａ／Ｄ変換部６から入力されるデジタル信号は動脈脈波抽出手段１２及びカフ圧抽出手段１３に入力され、カフ圧に重畳されている動脈脈波成分（動脈反圧）とカフ圧とが分離され、動脈脈波抽出手段１２から出力される動脈反圧と、カフ圧抽出手段１３から出力されるカフ圧とがデータとして記憶手段１４に順次格納される。記憶手段１４に格納された動脈反圧とカフ圧とを用いて演算手段１５では後述する比較演算を行う。また、演算手段１５による演算結果に基づいて血圧判定手段１６では最高血圧値及び最低血圧値を求め、決定された最高血圧値及び最低血圧値を表示器８に表示する。さらに、演算手段１５の演算結果に基づいて、排気速度・脈拍数モニタ１７により排気速度や脈拍数が求められて表示器８に表示され、カフ圧モニタ１８によりカフ圧が求められて表示器８に表示される。また、カフ圧モニタ１８により検出されるカフ圧に基づいて、カフ圧制御手段１９により加圧ポンプ３、急速排気部４並びに徐徐排気部５が制御される。なお、動脈脈波抽出手段１２、カフ圧抽出手段１３、記憶手段１４、演算手段１５、血圧判定手段１６、排気速度・脈拍数モニタ１８、カフ圧モニタ１８並びにカフ圧制御手段１９は、ＣＰＵ、ＲＯＭ、ＲＡＭ等を備えるマイクロコンピュータ（以下、「マイコン」と略す）７を所要のプログラムに従って動作させることで構成されている。
【０００４】
次に上記従来例の動作を説明する。まず、血圧測定が開始されると、カフ圧制御手段１９が加圧ポンプ３を制御して被測定者の上腕部に巻回されたカフ１の中に空気を送って加圧して阻血する。その後、カフ圧制御手段１９は加圧ポンプ３を停止するとともに徐徐排気部５を制御してカフ１の内部の空気を徐々に排気してカフ圧を徐々に降下させる。この排気期間において、圧力センサ２により動脈反圧とカフ圧とが重畳された圧力を検出する（図１９（ａ）参照）。圧力センサ２のアナログ出力はＡ／Ｄ変換部６によってデジタル信号に変換され、マイコン７に入力される。ここで、Ａ／Ｄ変換部６の出力は、略直線的に低下するカフ圧に図１９（ｂ）に示すような動脈反圧が重畳された圧力に対応しているので、これらを分離することで動脈脈波抽出手段１２とカフ圧抽出手段１３によりそれぞれ図（ｃ）に示すような動脈反圧の脈波値と、同図（ｄ）に示すようなカフ圧の圧力値とが求められる。そして、脈波値の最大値Ｍａｘを求め、その最大値Ｍａｘに所定の比率Ｓ〔％〕，Ｄ〔％〕を乗じた値と一致する動脈反圧に対応するカフ圧力値が、それぞれ最高血圧値及び最低血圧値とされる。
【０００５】
ところで、上述のような従来の血圧計においては、カフ圧を最高血圧以上にまで加圧してから測定を行う必要があり、加圧不足、すなわちカフ圧が最高血圧よりも低いと原理上血圧値を決定することができない。そこで、従来は所定の加圧値までカフ圧を加圧して測定を行い、測定時に加圧不足が検知されれば加圧値を一定量増加させて再度加圧するようにしたり、あるいは図２０に示すように加圧中のカフ圧に重畳されている動脈脈波成分（動脈反圧）の変化から被測定者の最高血圧を推定し、カフ圧が推定した最高血圧以上となるように加圧値を設定するようにしている。
【０００６】
【発明が解決しようとする課題】
しかしながら、カフ圧を所定の加圧値まで加圧する方式では、必要以上に加圧し過ぎて被測定者に苦痛を与える虞がある。また、動脈脈波成分を検出して最高血圧を推定する方式では、加圧速度を含めた諸条件によって動脈派波の開始点の決定や動脈脈波成分のレベル判断に変動が生じ、正確な測定が困難になる虞がある。
【０００７】
本発明は上記事情に鑑みて為されたものであり、その目的とするところは、加圧速度を含めた諸条件にかかわらず、適正な加圧値が設定可能な血圧計を提供することにある。
【０００８】
【課題を解決するための手段】
請求項１の発明は、上記目的を達成するために、被測定者の要部に装着して阻血するカフと、カフ内の圧力を上昇させる加圧手段と、カフ内の圧力を徐々に降下させる排気手段と、カフ内の圧力を電気信号に変換する圧力センサと、圧力センサの出力信号をサンプリングしてデジタル値に変換するＡ／Ｄ変換手段と、Ａ／Ｄ変換手段の出力データから動脈脈波値及びカフ圧値を抽出する圧力情報分離手段と、圧力情報分離手段により抽出された動脈脈波値及びカフ圧値を格納する記憶手段と、記憶手段に格納された圧力値を適宜読み出して比較演算することにより、最高血圧値及び最低血圧値を判定する血圧判定手段と、その判定された最高血圧値及び最低血圧値を表示する表示手段と、加圧中におけるＡ／Ｄ変換手段の複数個の出力データとこれらのデータを加算して得られる値を下記の計算式により加算することで動脈脈波に対応する代替値を演算し、この代替値の変化に基づいて最高血圧を推定するとともに推定した最高血圧に応じてカフ内の圧力上昇時の加圧値を設定する加圧値設定手段とを備えたことを特徴とし、加圧時における動脈脈波に対応する代替値から最高血圧を推定することで加圧速度を含めた諸条件にかかわらず、適正な加圧値が設定可能となる。
【数２】
0003733837.tif 000002
【００１０】
請求項２の発明は、請求項１の発明において、加圧値設定手段は、加圧初期段階における脈拍数に応じて上記式における各項の係数を変更することを特徴とし、請求項１の発明と同様の作用を奏する。
【００１３】
請求項３の発明は、請求項１の発明において、加圧手段による加圧速度を低下させた状態で血圧判定手段により最高血圧値及び最低血圧値を決定することを特徴とし、加圧時に最高血圧値及び最低血圧値を判定することができる。
【００１６】
請求項４の発明は、請求項１の発明において、加圧値設定手段は、代替値が負から正に変わるゼロクロス点より正から負に変わるゼロクロス点までの間の区間における代替値の変化に基づいて最高血圧を推定することを特徴とし、請求項１の発明と同様の作用を奏する。
【００２３】
請求項５の発明は、請求項１の発明において、加圧値設定手段は、代替値の比率によって変化を捉えることを特徴とし、請求項１の発明と同様の作用を奏する。
【００２６】
請求項６の発明は、請求項１の発明において、加圧値設定手段は、カフ圧値が所定の閾値を越えた後の動脈脈波値のデータから代替値の演算を行うことを特徴とし、最高血圧の推定精度を向上することができる。
【００２７】
請求項７の発明は、請求項６の発明において、前記閾値を１００ｍｍＨｇとしたことを特徴とし、請求項６の発明と同様の作用を奏する。
【００２９】
請求項８の発明は、請求項１の発明において、加圧値設定手段は、代替値の値が所定値以上の場合に最高血圧を推定することを特徴とし、最高血圧の推定精度を向上することができる。
【００３０】
請求項９の発明は、請求項１の発明において、加圧値設定手段は、減圧時における最高血圧の判定ができない場合に加圧手段によって再度カフ圧を上昇させることを特徴とし、最高血圧の推定に誤りがあった場合でも血圧の測定を継続することができる。
【００３３】
【発明の実施の形態】
以下、図面を参照して本発明を実施形態により詳細に説明する。
【００３４】
（実施形態１）
図１は本発明の実施形態１における制御演算部７を示すブロック図である。なお、制御演算部７を含む基本的な構成は従来例と共通するので、共通する構成には同一の符号を付して図示並びに説明を省略する。
【００３５】
本実施形態は、血圧測定開始によりカフ１の中に空気を送って加圧する時（以下、単に「加圧時」と略す）に得られるＡ／Ｄ変換手段の複数個の出力データと、これらのデータを加算して得られる値を所定の計算式により加算することで動脈脈波に対応する代替値を演算し、この代替値の変化に基づいて最高血圧を推定するとともに推定した最高血圧に応じてカフ１内の加圧値（目標値）を設定する加圧値設定手段を備えた点に特徴がある。なお、本実施形態では加圧値設定手段を演算手段１５で兼用している。
【００３６】
本実施形態においては、加圧時においても圧力センサ２で検出したカフ１内の圧力をＡ／Ｄ変換部６でデジタル信号に変換し、動脈脈波抽出手段１２及びカフ圧抽出手段１３により動脈脈波値（動脈反圧）とカフ圧値のデータを抽出して記憶手段１４に順次格納している。但し、加圧時には減圧時のように動脈脈波値とカフ圧を精度よく抽出することが困難であり、加圧時の動脈脈波値及びカフ圧のデータとしてＡ／Ｄ変換部６から入力されるデジタル信号（データ）Ｄ(n)をそのまま記憶手段１４に記憶している。
【００３７】
加圧設定手段としての演算手段１５は、図２（ａ）に示すように加圧時に順次記憶手段１４に格納されるデータＤ(n)に所定の係数を加算して得られる値を下記の計算式により加算することにより、動脈脈波に対応した代替値Ｅ(n+m)を演算する。
【００３８】
【式１】
0003733837.tif 000003
【００３９】
すなわち、カフ圧はほぼ直線的に上昇し周波数成分が略零となるのに対し、動脈脈波は心拍数に応じた周波数を有するものであるから、上式のようにカフ圧の複数のデータＤ(k)に対して動脈脈波の周波数に対応した係数ａ(n+m-k)，ｂ(n+m-k)を乗じて加算することにより、データＤ(k)をフィルタリングして動脈脈波に最も近い成分（代替値Ｅ(n+m)）を抽出することができる。なお、図２（ｂ）は求めた代替値Ｅ(n+m)の包絡線を示しており、横軸の時間の経過とともにカフ圧が上昇している。
【００４０】
演算手段１５は上述のようにして求めた代替値Ｅ(n+m)に対し、図３に示すように代替値Ｅ(n+m)が負から正に変わるゼロクロス点Ｅ(n+i)及び正から負に変わるゼロクロス点Ｅ(n+i+j)を動脈脈波の開始点及び終了点と仮定し、この間に存在する複数個の代替値Ｅ(n+i)〜Ｅ(n+i+j)の中の最大値Ｅmaxを当該動脈脈波の代表値とする。さらに演算手段１５は、図４に示すように各動脈脈波の代表値Ｅmax1〜Ｅmax5を比較し、前後の代表値Ｅmax1…に対して所定の閾値以上に値が変化した代表値（図示例では代表値Ｅmax3）が代表する動脈脈波を最高血圧時の動脈脈波と判断し、この動脈脈波の開始点となる代替値Ｅ(n+m)と対応したデータＤ(n+m)、すなわち当該動脈脈波の開始点におけるカフ圧値のデータを記憶手段１４から読み出し、このデータＤ(n+m)に所定値を加算した値を最高血圧値と推定する。そして、演算手段１５は上述のようにして推定した最高血圧値よりも低くない値を、加圧値としてカフ圧制御手段１９に対して設定する。よって、カフ圧制御手段１９は、カフ圧モニタ１８により検出されるカフ圧が加圧値に達すれば加圧ポンプ３を停止して加圧を終了する。なお、加圧終了後は従来例で説明した手順でカフ圧を下降させながら最高血圧及び最低血圧の測定が行われる。
【００４１】
上述のようにカフ圧のデータＤ(n+m)を上式の計算式で処理することにより、動脈脈波に対応した代替値Ｅ(n+m)を簡単に抽出することができ、この代替値Ｅ(n+m)の変化を捉えることで加圧速度を含めた諸条件に影響されることなく動脈脈波の開始点及び終了点を決定し且つ動脈脈波のレベルを判断することができるから、従来に比較して最高血圧を高い精度で推定することができる。その結果、加圧速度を含めた諸条件にかかわらず、適正な加圧値が設定可能となるものである。
【００４２】
ところで、上記計算式における係数ａ(n+m-k)，ｂ(n+m-k)は代替値Ｅ(n+m)の周波数特性を決定するものであって周波数の関数となるから、演算手段１５により以下のような条件に応じて可変とすることが望ましい。例えば、図５に示すように加圧初期段階における脈拍数（心拍数）に応じて係数ａ(n+m-k)，ｂ(n+m-k)を変更すればよい。具体的には、脈拍数が増加すれば動脈脈波の間隔が短くなり動脈脈波に対応した周波数成分が高い方にシフトするので、このような周波数成分がフィルタリング可能となるように演算手段１５が係数ａ(n+m-k)，ｂ(n+m-k)を変更するものである。あるいは、図６に示すように演算手段１５にて加圧初期段階のカフ圧のデータＤ(k)を高速フーリエ変換等の周波数分析を行うことで動脈脈波を含むカフ圧の周波数成分を求め、この周波数成分に応じて係数ａ(n+m-k)，ｂ(n+m-k)を変更してもよい。あるいは、加圧初期段階における動脈脈波の間隔及び代替値Ｅ(n+m)のレベルを特徴量として、演算手段１５において従来周知のファジィ推論を用いて係数ａ(n+m-k)，ｂ(n+m-k)を変更するようにしてもよい。また、係数ａ(n+m-k)，ｂ(n+m-k)を変更する代わりに、図７に示すようにＡ／Ｄ変換部６におけるサンプリング周期を可変としてもよい。
【００４３】
ところで、加圧初期段階ではカフ圧の変化が急であるために代替値Ｅ(n+m)に大きな振動（ノイズ）となって現れ、最高血圧の推定精度が低下する虞がある。したがって、図８に示すようにカフ圧が所定の閾値を越えてカフ圧の変化が安定した時点Ｔ１以降のデータＤ(k)から演算手段１５による代替値Ｅ(n+m)の演算を開始して最高血圧を推定するようにすれば、最高血圧の推定精度も向上できる。なお、上記閾値としては、健康であって比較的血圧の低い人の最高血圧の値を目安に１００ｍｍＨｇ程度に設定することが望ましい。
【００４４】
また、代替値Ｅ(n+m)のレベルが低いと最高血圧の推定精度も低下してしまうので、図９に示すように所定値Ｌを越える代替値Ｅ(n+m)が含まれる動脈脈波のみを最高血圧の推定に用いるようにすれば、最高血圧の推定精度が向上できるものである。さらに、被測定者が高血圧症の人である場合等では、図１０に示すように最高血圧が推定可能な程度のレベルを有した代替値Ｅ(n+m)が得られないことがある。そこで、演算手段１５はカフ圧が所定の加圧値（上限値）を越える時点Ｔｐまでに有効な代替値Ｅ(n+m)が得られなければ、上記上限値を加圧値としてカフ圧制御手段１９に対して設定し、加圧を終了して最高血圧及び最低血圧の測定を行うようにしており、加圧時における最高血圧の推定が不可能な場合であっても血圧測定を継続することができるものである。なお、上記上限値は通常最低血圧として考え得るレベルとして１６０ｍｍＨｇ程度に設定される。
【００４５】
ところで、何らかの原因で推定した最高血圧が実際の値よりも低く、減圧時に血圧測定において加圧不足であることが検知された場合には、図１１に示すように演算手段１５がカフ圧制御手段１９に指令を与えて加圧ポンプ３を制御して再度カフ圧を上昇させることにより、最高血圧の推定に誤りがあった場合でも血圧測定を継続することができる。この再加圧時においては、図１２に示すように加圧値Ｐｘを固定値（例えば、上記上限値）としてもよいし、あるいは、図１３に示すように演算手段１５による最高血圧の推定を行って加圧値Ｐｙを設定するようにしてもよい。加圧値Ｐｘを固定値とすれば測定時間を短縮することができ、また最高血圧を推定して加圧値Ｐｙを設定すれば最適な加圧値が設定できるという利点がある。
【００４６】
（実施形態２）
本実施形態は、演算手段１５における最高血圧の推定方法に特徴があり、構成については実施形態１と同一であるから図示は省略する。
【００４７】
実施形態１においては、１つの動脈脈波に含まれる複数個の代替値Ｅ(n+i)〜Ｅ(n+i+j)の中の最大値Ｅmaxを当該動脈脈波の代表値としているが、本実施形態では、１つの動脈脈波に含まれる複数個の代替値Ｅ(n+i)〜Ｅ(n+i+j)の加算値Ｅｔ（＝Ｅ(n+i)＋…＋Ｅ(n+i+j)）を演算手段１５にて算出し、この加算値（面積値）Ｅｔを当該動脈脈波の代表値としている。そして、演算手段１５は、図１４に示すように各動脈脈波の代表値Ｅt1〜Ｅt5の中の最大値Ｅt3に所定の係数ｃ（＝０〜１）を乗じた値ｃ×Ｅt3を閾値Ｅthとし、この閾値Ｅthと各代表値Ｅt1〜Ｅt5を比較して、最初に閾値Ｅth以下となる代表値（例えば、図示例ではＥt4）が代表する動脈脈波を最高血圧時の動脈脈波と判断し、この動脈脈波の開始点となる代替値Ｅ(n+m)と対応したデータＤ(n+m)、すなわち当該動脈脈波の開始点におけるカフ圧値のデータを記憶手段１４から読み出し、このデータＤ(n+m)に所定値を加算した値を最高血圧値と推定する。ここで、データＤ(n+m)に加算する所定値は基本的に閾値Ｅthと最大値Ｅt3との比率（＝Ｅth／Ｅt3）に応じて決まるものであり、上記比率が大きい（１に近い）ほど所定値も大きくする必要がある。このように上記比率に応じて所定値を変更する場合、この比率と最大値Ｅt3を特徴量として、演算手段１５において従来周知のファジィ推論を用いて所定値を決定するようにしてもよい。なお、１つの動脈脈波に含まれる複数個の代替値Ｅ(n+i)〜Ｅ(n+i+j)を加算することにより、加算値（代表値）Ｅｔが平滑化されて各代替値Ｅ(n+i)〜Ｅ(n+i+j)に含まれる高周波ノイズを除去することができるという利点がある。
【００４８】
ところで、実施形態１及び本実施形態では代替値Ｅ(n+m)が負から正に変わるゼロクロス点Ｅ(n+i)及び正から負に変わるゼロクロス点Ｅ(n+i+j)を動脈脈波の開始点及び終了点と仮定しているが、図１５に示すように代替値Ｅ(n+m)の位相の変化点θ１，θ２，…を動脈脈波の開始点及び終了点と仮定し、これらの変化点θ１…を基準として同一位相の区間（例えばθ１〜θ２の区間）を１つの動脈脈波と捉えてもよい。なお、位相の変化点θ１…は代替値Ｅ(n+m)を微分することで容易に求めることが可能である。あるいは、図１６に示すように代替値Ｅ(n+m)を微分することで求められる極性の切換点Ｒ１，Ｒ２，…を動脈脈波の開始点及び終了点と仮定し、これらの切換点Ｒ１…を基準として同一極性の区間（例えばＲ１〜Ｒ２の区間）を１つの動脈脈波と捉えてもよい。
【００４９】
ところで、カフ圧制御手段１９によりカフ圧の上昇速度を可変とし、減圧時と同様にして加圧時に動脈脈波値が抽出できる程度の低い速度にカフ圧の上昇速度を設定すれば、従来技術で説明した減圧時の手順と同様にして最高血圧値及び最低血圧値の測定が可能となる。
【００５０】
【発明の効果】
請求項１の発明は、被測定者の要部に装着して阻血するカフと、カフ内の圧力を上昇させる加圧手段と、カフ内の圧力を徐々に降下させる排気手段と、カフ内の圧力を電気信号に変換する圧力センサと、圧力センサの出力信号をサンプリングしてデジタル値に変換するＡ／Ｄ変換手段と、Ａ／Ｄ変換手段の出力データから動脈脈波値及びカフ圧値を抽出する圧力情報分離手段と、圧力情報分離手段により抽出された動脈脈波値及びカフ圧値を格納する記憶手段と、記憶手段に格納された圧力値を適宜読み出して比較演算することにより、最高血圧値及び最低血圧値を判定する血圧判定手段と、その判定された最高血圧値及び最低血圧値を表示する表示手段と、加圧中におけるＡ／Ｄ変換手段の複数個の出力データとこれらのデータを加算して得られる値を下記の計算式により加算することで動脈脈波に対応する代替値を演算し、この代替値の変化に基づいて最高血圧を推定するとともに推定した最高血圧に応じてカフ内の圧力上昇時の加圧値を設定する加圧値設定手段とを備えたので、加圧時における動脈脈波に対応する代替値から最高血圧を推定することで加圧速度を含めた諸条件にかかわらず、適正な加圧値が設定可能となるという効果がある。
【数３】
0003733837.tif 000004
【００５２】
請求項２の発明は、請求項１の発明において、加圧値設定手段は、加圧初期段階における脈拍数に応じて上記式における各項の係数を変更するので、請求項１の発明と同様の効果を奏する。
【００５５】
請求項３の発明は、請求項１の発明において、加圧手段による加圧速度を低下させた状態で血圧判定手段により最高血圧値及び最低血圧値を決定するので、加圧時に最高血圧値及び最低血圧値を決定することができるという効果がある。
【００５８】
請求項４の発明は、請求項１の発明において、加圧値設定手段は、代替値が負から正に変わるゼロクロス点より正から負に変わるゼロクロス点までの間の区間における代替値の変化に基づいて最高血圧を推定するので、請求項１の発明と同様の効果を奏する。
【００６５】
請求項５の発明は、請求項１の発明において、加圧値設定手段は、代替値の比率によって変化を捉えるので、請求項１の発明と同様の効果を奏する。
【００６８】
請求項６の発明は、請求項１の発明において、加圧値設定手段は、カフ圧値が所定の閾値を越えた後の動脈脈波値のデータから代替値の演算を行うので、最高血圧の推定精度を向上することができるという効果がある。
【００６９】
請求項７の発明は、請求項６の発明において、前記閾値を１００ｍｍＨｇとしたので、請求項６の発明と同様の効果を奏する。
【００７１】
請求項８の発明は、請求項１の発明において、加圧値設定手段は、代替値の値が所定値以上の場合に最高血圧を推定するので、最高血圧の推定精度を向上することができるという効果がある。
【００７２】
請求項９の発明は、請求項１の発明において、加圧値設定手段は、減圧時における最高血圧の判定ができない場合に加圧手段によって再度カフ圧を上昇させるので、最高血圧の推定に誤りがあった場合でも血圧の測定を継続することができるという効果がある。
【図面の簡単な説明】
【図１】実施形態１の要部を示すブロック図である。
【図２】（ａ）は同上におけるカフ圧の変化を示す波形図、（ｂ）は代替値Ｅ(n+m)の包絡線を示す波形図である。
【図３】同上の動作説明図である。
【図４】同上の動作説明図である。
【図５】同上の動作説明図である。
【図６】同上の動作説明図である。
【図７】同上の動作説明図である。
【図８】同上の動作説明図である。
【図９】同上の動作説明図である。
【図１０】同上の動作説明図である。
【図１１】同上の動作説明図である。
【図１２】同上の動作説明図である。
【図１３】同上の動作説明図である。
【図１４】実施形態２の動作説明図である。
【図１５】同上の動作説明図である。
【図１６】（ａ）及び（ｂ）は同上の動作説明図である。
【図１７】従来例を示すブロック図である。
【図１８】同上の要部を示すブロック図である。
【図１９】（ａ）〜（ｄ）は同上の動作説明図である。
【図２０】他の従来例の動作説明図である。
【符号の説明】
６  Ａ／Ｄ変換部
７  制御演算部
１２  動脈脈波抽出手段
１３  カフ圧抽出手段
１４  記憶手段
１５  演算手段
１９  カフ圧制御手段
【図１】
0003733837.tif 000006
【図２】
0003733837.tif 000007
【図３】
0003733837.tif 000008
【図４】
0003733837.tif 000009
【図５】
0003733837.tif 000010
【図６】
0003733837.tif 000011
【図７】
0003733837.tif 000012
【図８】
0003733837.tif 000013
【図９】
0003733837.tif 000014
【図１０】
0003733837.tif 000015
【図１１】
0003733837.tif 000016
【図１２】
0003733837.tif 000017
【図１３】
0003733837.tif 000018
【図１４】
0003733837.tif 000019
【図１５】
0003733837.tif 000020
【図１６】
0003733837.tif 000021
【図１７】
0003733837.tif 000022
【図１８】
0003733837.tif 000023
【図１９】
0003733837.tif 000024
【図２０】
0003733837.tif 000025